(57)【特許請求の範囲】
【請求項１】
種類の異なる内容物をそれぞれ個別に充填する内外二重のケースと、外側に位置するケースの口部に着脱自在に固定保持され該ケースを密封するベースキャップと、このベースキャップに懸垂支持され各ケース内の内容物をそれぞれ吸引、加圧、圧送する二つのポンプと、前記ベースキャップを通り抜けて各ポンプに出側端に連係し、その押し込み及び復帰動作の繰り返しにてポンプを駆動するとともに該各ポンプにて吸引、加圧、圧送された内容物を外界に向けて排出する排出経路を有する押圧ヘッドとを備えた二剤吐出容器であって、
外側に位置するケースのポンプを構成する大径空間と、内側に位置するケースのポンプを構成する小径空間とを、同心の直列配置となるシリンダーで一体的に形成し、該小径空間を形成する前記シリンダーの外壁に、該外壁と同心の側壁にてその相互間に少なくとも１つの隙間を形成する環状体を設け、内側に位置するケースの口部に、該環状体の隙間に差し込まれて内側に位置するケース及びこのケースの内容物を吸引、加圧、圧送するポンプとを相互に連係する係止環体を設け、前記大径空間につながる吸引管の取り付け部位を、前記環状体の側方で前記シリンダーから一体に垂下させて隣接配置したことを特徴とする二剤吐出容器。
【請求項２】
前記環状体と係止環体の連係がアンダーカットあるいはねじによるものである請求項１記載の二剤吐出容器。
【請求項３】
内側に位置するケースは、その内壁に沿ってスライドする底壁を有する、請求項１又は２記載の二剤吐出容器。
【請求項４】
内側に位置するケースは、内容物の充填空間の減容が可能なチューブである、請求項１又は２記載の二剤吐出容器。
【発明の詳細な説明】
【技術分野】
【０００１】
本発明は種類の異なる内容物を個別に充填した内外二重のケースを備える二剤吐出容器に関するものであり、内側に位置するケースのポンプからの脱落を確実に防止して二剤の安定的な排出を可能にしようとするものである。
【背景技術】
【０００２】
容器の胴体を構成する外ケースの内側に種類の異なる内容物を充填した内ケースを配置しておき、一度の操作でもって内外二つのケースからそれぞれ内容物を同時に排出する二剤吐出容器は、美容液や毛染め液等の反応性の液体を入れたものに用いられているが、近年、ケース内に充填される内容物も多様化しており、かかる容器の需要は今後益々増大する傾向にある（例えば特許文献１参照）。
【０００３】
【特許文献１】特表2000−503947号公報
【０００４】
ところで、上記従来型の二剤吐出容器は、内ケースの口部を排出機構の口部に嵌め込んで懸垂支持する連結構造になっており、その脱落を防ぐために嵌め込み部分にはアンダーカットが形成されているものの、この種の連結構造では、容器の搬送過程における振動や衝撃によって内ケースが排出機構から外れてしまうことも懸念され、この点に関する改善の余地が残されていた。
【発明の開示】
【発明が解決しようとする課題】
【０００５】
本発明の課題は、内ケースの脱落を防止して内外のケースに収められた内容物を安定的に排出できる新規な二剤吐出容器を提案するところにある。
【課題を解決するための手段】
【０００６】
本発明は、種類の異なる内容物をそれぞれ個別に充填する内外二重のケースと、外側に位置するケース（以下、外ケースという）の口部に着脱自在に固定保持され該外ケースを密封するベースキャップと、このベースキャップに懸垂支持され各ケース内の内容物をそれぞれ吸引、加圧、圧送する二つのポンプと、前記ベースキャップを通り抜けて各ポンプに出側端に連係し、その押し込み及び復帰動作の繰り返しにてポンプを駆動するとともに該各ポンプにて吸引、加圧、圧送された内容物を外界に向けて排出する排出経路を有する押圧ヘッドとを備えた二剤吐出容器であって、
外ケースのポンプを構成する大径空間と、内側に位置するケース（以下、内ケースという）のポンプを構成する小径空間とを、同心の直列配置となるシリンダーで一体的に形成し、該小径空間を形成する前記シリンダーの外壁に、該外壁と同心の側壁にてその相互間に少なくとも１つの隙間を形成する環状体を設け、内ケースの口部に、該環状体の隙間に差し込まれて内側に位置するケース及びこのケースの内容物を吸引、加圧、圧送するポンプとを相互に連係する係止環体を設け、前記大径空間につながる吸引管の取り付け部位を、前記環状体の側方で前記シリンダーから一体に垂下させて隣接配置したことを特徴とする二剤吐出容器である。
【０００７】
上記の構成になる二剤吐出容器においては、前記環状体と係止環体の連係をアンダーカットあるいはねじによるものとするのがとくに好ましい。
【０００８】
また、内ケースがハードケースの場合には、その内壁に沿ってスライドする底壁を設けるのがよく、あるいは内容物の充填空間の減容が可能なチューブとしてもよい。
【発明の効果】
【０００９】
環状体にて形成された隙間（溝）に係止環体を差し込む連係構造を採用するとその相互間の摩擦抵抗が高められ、振動や衝撃等の外的要因によって内ケースが簡単に脱落することはない。
【発明を実施するための最良の形態】
【００１０】
以下、図面を用いて本発明をより具体的に説明する。
図１は本発明に従う二剤吐出器の実施の形態を断面で示した図であり、１は外ケース、２は外ケース１の内部に配置される内ケースである。内ケース２には内容物が減るに従って負圧によりその口部2aへ向ってスライド可能とする底壁2bと、この底壁2bの内ケース２からの脱落を防止する底蓋2cが配置されており、外ケース１と内ケース２のそれぞれには種類の異なる内容物がそれぞれ充填されている。
【００１１】
また、３は外ケース１の口部1aに着脱自在にねじ止め固定（アンダーカットでもよい）され該外ケース１を密封するベースキャップ、４はベースキャップ３の内面において懸垂支持されるポンプである。このポンプ４は外ケース１と内ケース２内の内容物をそれぞれ吸引、加圧、圧送する二つのポンプを構成するもので、同心の直列配置になる大径空間K1と小径空間K2を一体的に形成するシリンダー4aと、このシリンダー4aの大径空間K1内に摺動可能に配置され外ケース１の内容物の吸引、加圧、圧送に係わるピストン4bと、シリンダー4aの小径空間K2内に摺動可能に配置され内ケース２の内容物の吸引、加圧、圧送に係るピストン4cと、このピストン4cの内側で弾性保持されたポペット4dと、ピストン4b及び4cを誘導するピストンガイド4eからなっている。
【００１２】
また、５はベースキャップ３の開口3aを通り抜けてポンプ４の出側端に連係する押圧ヘッドである。この押圧ヘッド５はその押し込み及び復帰動作の繰り返しにてポンプ４を駆動するとともにポンプ４にて吸引、加圧、圧送された内容物を吐出口5a、5bを経て外界へ排出する排出経路5c、5dを有している。
【００１３】
さらに６はシリンダー4aの大径空間K1につながる吸引管、７は押圧ヘッド５を覆い隠すオーバーキャップ、８はポンプ４のシリンダー4aの外壁（小径空間K2を形成する外壁）を利用してそれと一体に形成された環状体、９は内ケース２の口部2bを取り囲むように形成された係止環体である。
【００１４】
環状体８はシリンダー4aの外壁とこの外壁と同心配置になる側壁8aにてその相互間に下向に開放された隙間ｍが形成されており、係止環体９の先端が該隙間ｍに差し込まれアンダーカットｃによって連係される。
【００１５】
内ケース２と内容物の排出にかかるポンプ４とを、環状体８、係止環体９にて連係すると係止環体９はその内外面が環状体８にて挟み込まれた状態になることから摩擦抵抗が一層高まり、多少の振動や衝撃を受けても簡単にその連係が解除されることはない。
【００１６】
加えて、図示の実施例では、大径空間K1につながる吸引管６の取り付け部位を、環状体８の側方でシリンダー4aから一体に垂下するように隣接配置してあるため、該環状体８が外力によって外側に変形しようとしても吸引管６の取り付け部位によりその変形が抑制され、係止環体９と環状体８との連係が安定的に保持される。
【００１７】
押圧ヘッド５の押し込みと復帰動作によって排出される各ケース１、２内の内容物の流れを図２に図解して示す。
【００１８】
ケース１、２内の内容物を排出するには、まず、押圧ヘッド５を下方へ押圧する。押圧ヘッド５の下方への押圧を開始すると押圧ヘッド５に一体的に組み付けられたピストンガイド4eと該ピストンガイド4eに組み付けられたピストン4c及び該ピストン4cの上端に摩擦係止されているポペット4dが同時に下降する。この時、ピストン4bは静止状態にある。ポペット4dはその下端がシリンダー4aの下端に接触、シール状態になるまで下降し、下端に達した位置でもってピストン4c上端での摩擦係止が解除、排出経路5dが開放され内ケース２内の内容物が吐出口5bより排出される。
【００１９】
上記の状態から、さらに下方への押圧を継続すると押圧ヘッド５の下端でピストン4bの上方において形成された段部が当接し、押圧ヘッド５と同様にピストン4bが下降を開始する。この状態では、ピストン4bの内方下端とピストンガイド4eの中間フランジ部とのシールが解かれ、ピストン4bの内側面とピストンガイド4eの外側面間の隙間を介して排出経路5cが開放され外ケース１内の内容物が吐出口5aから排出されることになる。
【００２０】
内容物の排出を終了し、押圧ヘッド５に付与した押圧力を取り除くと、押圧ヘッド５、ピストンガイド4e及びピストン4cは上昇を開始するとともに、ピストン4bの内方下端がピストンガイド4eの中間フランジ部に当接してシール状態となる。そして、さらにポペット4dとピストン4cの上端が摩擦係止されポペット4dの下端とシリンダー4aとの接触、シール状態が解除されて押圧ヘッド５と一緒に上昇し、大径空間K1及び小径空間K2にそれぞれ内容物が吸引されて次回の排出に備える。
【００２１】
図３は底壁2aをスライドさせる内ケース２に換えて内容物の充填空間の減容を可能としたチューブタイプの内ケース10を配置した本発明に従う二剤吐出容器の他の実施の形態を示したものである。
【００２２】
チューブタイプの内ケース10を配置した場合であっても係止環体９が環状体８の隙間ｍに差し込まれている限り該内ケース２が簡単に脱落することはない。
【００２３】
図示の例では、ポンプ４側に環状体８を設け、内ケース２側に係止環体９を設けた場合について示したが、ポンプ４側に単一の環状体９を、また、内ケース２側に環状体８を設けてもよく、この点については限定されない。
【００２４】
環状体８の隙間ｍの壁面にねじ部を設け、係止環体９の壁面に隙間ｍの側壁のねじ部に係合するねじ部を設けて両者を強固に連係するようにしてももちろんよい。
【００２５】
上掲の実施例においては、吐出口5a、5bを経て排出された内容物を外界において混合するタイプの押圧ヘッド５を適用した場合について示したが、押圧ヘッド５の内部において排出経路5c、5dを合流させて内容物を混合して単一の吐出口から排出する押圧ヘッド５を採用することもできる。とくに、排出経路5c、5dを合流させるタイプの押圧ヘッド５を使用するに当たっては、その内部に混合を促進するためのミキシング部材を配置することができ、押圧ヘッド５のタイプは内容物に応じて適宜変更が可能である。
【産業上の利用可能性】
【００２６】
振動や衝撃等の外的要因によって簡単に脱落することがない内ケースを有する二剤吐出容器が提供できる。
【図面の簡単な説明】
【００２７】
【図１】本発明に従う二剤吐出容器の実施の形態を示した図である。
【図２】図１に示した容器の内容物の流れを模式的に示した図である。
【図３】本発明に従う二剤吐出容器の他の実施の形態を示した図である。
【符号の説明】
【００２８】
１  外ケース
1a  口部
２  内ケース
2a  口部
2b  底壁
2c  底蓋
３  ベースキャップ
3a  開口
４  ポンプ
4a  シリンダー
4b  ピストン
4c  ピストン
4d  ポペット
4e  ピストンガイド
５  押圧ヘッド
5a  吐出口
5b  吐出口
5c  排出経路
5d  排出経路
６  吸引管
７  オーバーキャップ
８  環状体
９  係止環体
10  内ケース
ｍ  隙間
K1  大径空間
K2  小径空間
ｃ  アンダーカット
【図１】
0004721799.tif 000002
【図２】
0004721799.tif 000003
【図３】
0004721799.tif 000004